(57)【要約】【課題】本発明は、可動式の表示装置を具備する撮像装置の表示面を被覆することで該表示面を保護し、かつ表示面上に繰り返し着脱可能な撮像装置の表示装置用カバー、及び該表示装置用カバーを備える撮像装置を提供する。【解決手段】本発明は、撮像装置本体に対して相対的に移動可能に配設され画像を表示する表示装置を具備してなる撮像装置の表示装置用カバーを、透光性を有する部材により構成され、上記表示装置の表示面全体を覆う平板状の形状を有する平板部と、上記表示装置の外周部に係合することで上記平板部を上記表示面上に位置決めして固定する係止部と、により構成し、この表示装置用カバーを表示装置と共に移動可能とした。【選択図】図３
2009212700.tif 000002
【特許請求の範囲】
【請求項１】
撮像装置本体に対して相対的に移動可能に配設され画像を表示する表示装置を具備してなる撮像装置の表示装置用カバーであって、
透光性を有する部材により構成され、上記表示装置の表示面全体を覆う平板状の形状を有する平板部と、
上記表示装置の外周部に係合することで上記平板部を上記表示面上に位置決めして固定する係止部と、
を具備することを特徴とする撮像装置の表示装置用カバー。
【請求項２】
前記平板部の前記表示面に対向する主面上に、弾性又は粘弾性を有する部材からなる衝撃吸収部材が配設されていることを特徴とする請求項１に記載の撮像装置の表示装置用カバー。
【請求項３】
前記衝撃吸収部材は、前記表示面に重ならず、かつ前記表示面の周囲を囲う枠形状を有することを特徴とする請求項２に記載の撮像装置の表示装置用カバー。
【請求項４】
前記平板部の少なくとも一方の主面は、凸レンズ状の光学面又は凸レンズに光学的に等価な光学面として構成されることを特徴とする請求項１から３のいずれか一項に記載の撮像装置の表示装置用カバー。
【請求項５】
被写体の静止画像及び動画像の少なくとも一方を撮像素子により撮像する撮像装置であって、
操作者が把持する把持部と、
前記把持部に対して相対的に移動可能に配設され、画像を表示する表示面を有する表示装置と、
透光性を有する部材により構成され上記表示装置の上記表示面全体を覆う平板状の形状を有する平板部と、上記表示装置の外周部に係合することで上記平板部を上記表示面上に位置決めして固定する係止部と、を有し、前記表示装置の前記把持部に対する位置に関わらず前記表示装置と共に移動可能に構成されたカバー部材と、
を具備することを特徴とする撮像装置。
【請求項６】
前記カバー部材の前記係止部は、前記表示部材の側面部に係合し、かつ前記表示部材を弾性的に挟持することを特徴とする請求項５に記載の撮像装置。
【請求項７】
前記カバー部材の前記平板部と、前記表示装置との間に弾性又は粘弾性を有する部材からなる衝撃吸収部材が介装されることを特徴とする請求項５又は６に記載の撮像装置。
【請求項８】
前記衝撃吸収部材は、前記表示面に重ならず、かつ前記表示面の周囲を囲う枠形状を有することを特徴とする請求項７に記載の撮像装置。
【請求項９】
前記カバー部材の前記平板部の少なくとも一方の主面は、凸レンズ状の光学面又は凸レンズに光学的に等価な光学面として構成されることを特徴とする請求項５から８のいずれか一項に記載の撮像装置。
【発明の詳細な説明】
【技術分野】
【０００１】
本発明は、可動式の表示装置を具備する撮像装置、及び該撮像装置の表示装置用カバーに関する。
【背景技術】
【０００２】
デジタルカメラや電子カメラ等と称される被写体の静止画像又は動画像を撮像素子により撮像する撮像装置は、液晶表示装置や有機ＥＬ表示装置により構成された画像を表示可能な表示装置を具備して構成されることが一般的である。
【０００３】
このような表示装置を具備した撮像装置においては、表示装置は、表示面に撮像条件や撮像した画像を再生して表示したり、いわゆるライブビューと称されるように電子的なファインダとして被写体像を表示する役割を有する。
【０００４】
撮像装置の表示装置の表示面を、傷等の破損や汚れから保護するために、何らかの保護部材により保護する構成が知られている。例えば、特開２０００−２６１７０２号公報には、表示装置の表示面上に進退移動可能に設けられた扉部材により表示装置の表示面を保護する構成が記載されている。
【０００５】
また、ガラス、アクリル樹脂又はポリカーボネート樹脂等の透光性を有する材料からなる板状のカバー部材を表示装置の表示面上に配設し、表示面を保護する構成も知られている。
【０００６】
ところで、デジタルカメラのような表示装置を具備する撮像装置において、該撮像装置に対し、言い換えれば撮像装置の操作者が把持する部位に対して相対的に移動可能に配設された表示装置を具備するものが知られている。可動式の表示装置を具備する撮像装置は、操作者が表示装置の表示面を視認可能な範囲が広がるため、撮像時の構図や姿勢の自由度が上がるという利点を有する。
【０００７】
このような撮像装置における可動式の表示装置の表示面を保護する構成としては、透明な樹脂製のフィルム状のカバー部材を表示面上に貼着する構成が一般的である。
【特許文献１】特開２０００−２６１７０２号公報
【発明の開示】
【発明が解決しようとする課題】
【０００８】
撮像装置において表示装置を保護するカバー部材を透過して表示面を視認する場合、カバー部材の光学的特性や歪み又はカバー部材の表面における乱反射等によって、表示面の正確な視認が妨げられることがある。このため、カバー部材は表示面上から自在に退避可能な構成であることが好ましい。
【０００９】
しかしながら、可動式の表示装置を具備する撮像装置においては、表示面上にフィルム状のカバー部材を貼着する構成であることからカバー部材の着脱に手間がかかり、場合によっては再利用が不可能であるため、表示面上におけるカバー部材の存在の有無を自在に選択することは困難であった。
【００１０】
本発明は、上記問題点に鑑みてなされたものであり、可動式の表示装置を具備する撮像装置の表示面を被覆することで該表示面を保護し、かつ表示面上に繰り返し着脱可能な撮像装置の表示装置用カバー、及び該表示装置用カバーを備える撮像装置を提供することを目的とする。
【課題を解決するための手段】
【００１１】
本発明の撮像装置の表示装置用カバーは、撮像装置本体に対して相対的に移動可能に配設され画像を表示する表示装置を具備してなる撮像装置の表示装置用カバーであって、透光性を有する部材により構成され、上記表示装置の表示面全体を覆う平板状の形状を有する平板部と、上記表示装置の外周部に係合することで上記平板部を上記表示面上に位置決めして固定する係止部と、を具備することを特徴とする。
【００１２】
また、本発明の撮像装置は、被写体の静止画像及び動画像の少なくとも一方を撮像素子により撮像する撮像装置であって、操作者が把持する把持部と、前記把持部に対して相対的に移動可能に配設され、画像を表示する表示面を有する表示装置と、透光性を有する部材により構成され上記表示装置の上記表示面全体を覆う平板状の形状を有する平板部と、上記表示装置の外周部に係合することで上記平板部を上記表示面上に位置決めして固定する係止部と、を有し、前記表示装置の前記把持部に対する位置に関わらず前記表示装置と共に移動可能に構成されたカバー部材と、を具備することを特徴とする。
【発明を実施するための最良の形態】
【００１３】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１４】
（第１の実施形態）  
以下、本発明の第１の実施形態について図１から図８を参照して説明する。本実施形態は、一般にデジタルカメラ、デジタルスチルカメラ、電子カメラ等と称される撮像装置に本発明を適用したものである。
【００１５】
図１は、デジタルカメラの主要な構成を断面により示す図である。図２は、デジタルカメラの背面を示す背面図である。図３は、デジタルカメラのカメラ本体を背面上方から見た斜視図である。図４は、画像表示部とカバー部材の構成を説明する斜視図である。図５は、画像表示部にカバー部材を固定した状態における断面図である。図６は、カバー部材を画像表示部に固定する方法を説明する図である。図７は、第１の実施形態の変形例を示す図である。図８は、第１の実施形態の変形例を示す図である。
【００１６】
本実施形態の撮像装置であるデジタルカメラ１は、いわゆるレンズ交換式のデジタル一眼レフレックスカメラであり、図１に示すようにカメラ本体２と、該カメラ本体２に設けられたレンズマウント部９を介してカメラ本体２に着脱自在に固定される撮像レンズ３と、を具備してなる。
【００１７】
以下の説明において、図１に示すように、デジタルカメラ１を操作者が正立状態として構えた状態における左右方向をＸ方向とし、Ｘ方向と直交する上下方向をＹ方向とし、Ｘ、Ｙ方向に直交する前後方向をＺ方向とする。すなわちＺ方向は、撮像レンズ３の光軸Ｏと平行な方向（カメラ本体２の厚み方向）である。またＺ方向においてカメラ本体２の被写体側を前側（前面側）とし、撮影者側を後側（背面側）とする。また、Ｘ方向の左右方向はカメラ本体１を背面側から見た方向で示す。すなわち、図１の紙面に正対して手前側が左側となる。
【００１８】
カメラ本体２は、ミラーボックス４と、撮像ユニット５と、ファインダユニット６と、測距ユニット７と、画像表示部２０とを具備して構成されている。
【００１９】
ミラーボックス４は、撮像レンズ３の光軸Ｏ上であってレンズマウント部９の後方に配設されており、光軸Ｏ上において該ミラーボックス４の後方には撮像ユニット５が配設されている。またミラーボックス４の上方にはファインダユニット６が、ミラーボックス４の下方には測距ユニット７が配設されている。
【００２０】
ミラーボックス４内には、反射面を有するクイックリターンミラー４１及びサブミラー４２が撮像レンズ３の光軸Ｏ上に進退可能に配設されている。クイックリターンミラー４１及びサブミラー４２が撮像レンズ３の光軸Ｏ上から退避した状態では、撮像レンズ３から出射された光束は撮像ユニット５へ入射される。
【００２１】
一方、クイックリターンミラー４１及びサブミラー４２が撮像レンズ３の光軸Ｏ上に進出した状態では、撮像レンズ３から出射された光束はクイックリターンミラー４１によって上方へ向けて反射されファインダユニット６へ入射される。また、クイックリターンミラー４１の反射面の少なくとも一部は所定の割合で光を透過する半透過部として構成されており、該クイックリターンミラー４１の半透過部を透過した光束は、サブミラー４２によって下方へ向けて反射され測距ユニット７へ入射される。
【００２２】
撮像ユニット５は、受光面に入射される光に応じた電気信号を出力する撮像素子５１と、該撮像素子５１に付随するアナログ回路やA/Dコンバータ等の駆動部を備えてなり、撮像レンズ３により受光面上に結像された被写体像を画像信号に変換して出力する。撮像素子５１は、例えば例えば一般にＣＣＤ（電荷結合素子）やＣＭＯＳ（相補型金属酸化膜半導体）センサと称される形式、あるいはその他の各種の形式の撮像素子が適用され得る。
【００２３】
また、撮像ユニット５には、撮像素子５１の受光面の前面側に、ローパスフィルタ５２及びシャッタ装置５３が配設されている。なお、ローパスフィルタ５２及びシャッタ装置５３は適宜に配設されるものである。
【００２４】
ファインダユニット６は、クリックリターンミラー４１により折り曲げられた光軸Ｏ２上において撮像レンズ３に対して撮像素子５１の受光面と光学的に等価な位置に配設されたフォーカシングスクリーン６１を具備してなる。また、ファインダユニット６には、撮像レンズ３によりフォーカシングスクリーン６１に結像された被写体像を正立正像に変換するペンタプリズム６２と、このペンタプリズム６２から出射された光学像を拡大して操作者の眼に導く接眼光学系６３と、が配設されている。
【００２５】
測距ユニット７は、測距センサを具備してなり、いわゆるＴＴＬ位相差オートフォーカスを行うための測距を行う装置である。
【００２６】
また、カメラ本体２の外装面には、操作者からの指示情報を入力するためのプッシュスイッチ、ダイヤルスイッチ及びタッチセンサ等からなる入力装置と、操作者へデジタルカメラ１の状態や撮像した画像等の各種情報を出力するための画像表示装置やＬＥＤ等からなる出力装置とが配設されている。
【００２７】
本実施形態のデジタルカメラ１では、カメラ本体２の背面部に、出力装置の一つとしての画像を表示し出力する画像表示部２０が配設されている。
【００２８】
本実施形態の画像表示部２０は、上記カメラ本体２とは別体となる略直方体形状の筐体部２２内に、カラー表示可能な液晶表示装置２１を具備してなる。液晶表示装置２１は、詳細は図示しないがアクティブマトリクス方式の透過型液晶パネル、バックライト装置及び駆動回路等を有し、カメラ本体２に配設された図示しない制御装置により生成され出力された映像信号に応じた画像を矩形状の表示面２１ａに表示する。液晶表示装置２１の表示面２１ａに正対した状態において、画像表示部２０の筐体部２２は表示面２１ａの外形に沿う４辺からなる外周形状を有する。
【００２９】
なお、画像表示部２０は、上述した液晶表示装置以外に、有機エレクトロルミネッセンス表示装置や電気泳動表示装置等の他の形式の画像表示装置を具備して構成されてもよい。
【００３０】
例えば、デジタルカメラ１の撮像動作時には、液晶表示装置２１の表示面２１ａには、絞り値やシャッタースピード等の撮影条件、いわゆる電子ファインダやライブビューと称される被写体のリアルタイムの動画像、及び直前の撮像結果等が表示される。また、例えばデジタルカメラ１の再生動作時には、液晶表示装置２１の表示面２１ａには、カメラ本体２内部の記録媒体に記録されている静止画像や動画像が再生されて表示される。
【００３１】
図３に示すように、カメラ本体２とは別体の筐体部２２からなる画像表示部２０は、互いに略直交する２つの回動軸を有するヒンジ機構部２５を介して、カメラ本体２に対して相対的に移動可能に支持されている。
【００３２】
言い換えれば、本実施形態のデジタルカメラ１では、画像表示部２０は、カメラ本体を操作者が把持する把持部２ｂに対して相対的に移動可能に配設されているのであり、またさらに言い換えれば、画像表示部２０は、撮像レンズ３の光軸Ｏに対して移動可能に配設されている。
【００３３】
ヒンジ機構部２５は、カメラ本体２の背面部の左側に配設されており、カメラ本体２に対してＹ軸に略平行な軸Ａ１周りに回動可能な可動片２５ａと、画像表示部２０の筐体部２２を該可動片２５ａに対して前記軸Ａ１に直交する軸Ａ２周りに回動可能に支持する図示しない回動軸部とを有して構成されている。
【００３４】
図４に示すように、ヒンジ機構部２５の可動片２５ａに設けられた回動軸部は、略直方体形状の筐体部２２の表示面２１ａとは略直交する４つ側面のうちの一つである側面２２ｃに対して軸Ａ２が直交するように支持している。
【００３５】
なお、軸Ａ２は、必ずしも軸Ａ１に対して直交する関係になくともよく、軸Ａ２は、軸Ａ１に直交する平面に平行な関係であればよい。
【００３６】
ヒンジ機構部２５の２つの回動軸は、所定の摩擦抵抗力により任意の位置に自由に位置決め可能ないわゆるフリーストップ構造を有する。したがってデジタルカメラ１は、このような２軸のヒンジ機構部２５を介してカメラ本体２に対して画像表示部２０を支持することにより、表示面２１ａを任意の方向に向けた状態で保持することが可能である。
【００３７】
また、カメラ本体２の背面部には、表示面２１ａが背面部と略平行、すなわち表示面２１ａが撮像レンズ３の光軸Ｏと略直交するように、画像表示部２０を背面部に沿わせた状態（図１及び図２に示す状態）において、画像表示部２０を収容することが可能な矩形状の凹部２ａが設けられている。
【００３８】
画像表示部２０がカメラ本体２の背面部の凹部２ａ内に収容された状態において、画像表示部２０の筐体部２２の上下に位置する二つの側面、言い換えれば軸Ａ２と平行な関係にある二つの側面２２ａ及び２２ｂには、それぞれ詳しくは後述するカバー部材３０が係合される係合凸部２３及び２４が形成されている。また、係合凸部２３及び２４は、側面２２ａ及び２２ｂに設けられた凹部２６及び２７の底面部に設けられている。
【００３９】
なお、画像表示部２０は、液晶表示装置２１の表示面２１ａを前方に向けた状態、すなわち図２に示す状態に対して画像表示部２０を軸Ａ２周りに反転させた状態でも、カメラ本体２の背面部の凹部２ａ内に収容可能である。
【００４０】
そして、本実施形態のデジタルカメラ１は、上述した可動式の画像表示部２０の液晶表示装置２１の表示面２１ａを覆うカバー部材３０を具備している。
【００４１】
カバー部材３０は、所定の厚さを有し少なくとも液晶表示装置２１の表示面２１ａよりも大きい平面形状を有する平板状の平板部３１と、該平板部３１から延出し上記画像表示部２０の筐体部２２に設けられた係合凸部２３及び２４に係合可能な一対の係止爪部３２及び３３とを有してなる。
【００４２】
カバー部材３０は、一対の係止爪部３２及び３３が筐体部２２の係合凸部２３及び２４に係合することにより、平板部３１が表示面２１ａ上を被覆した状態で、画像表示部２０に対して固定される。
【００４３】
そして、カバー部材３０が画像表示部２０に対して固定された状態において、平板部３１の表示面２１ａ上を被覆する領域は、可視光を所定の割合で透過する材料、例えばガラス、透光性セラミック、アクリル樹脂又はポリカーボネート樹脂等により構成されている。すなわち、カバー部材３０が画像表示部２０に対して固定された状態において、平板部３１の透光性を有する領域を介して表示面２１ａに表示された画像を視認することが可能である。
【００４４】
具体的に本実施形態では、カバー部材３０は、全体が透明なアクリル樹脂の一体成型により形成されている。また、カバー部材３０の平板部３１は、画像表示部２０の筐体部２２の表示面２１ａが設けられた面と略同一の矩形状を有する。
【００４５】
また、カバー部材３０の平板部３１には、ＡＲ（Ａｎｔｉ  Ｒｅｆｌｅｃｔｉｏｎ）コートや反射防止加工等の反射防止処理が施されている。平板部３１の表面には、さらに表面を硬質化する、いわゆるハードコート等の表面処理が施されてもよい。平板部３１にＡＲコート等の反射防止処理を施すことにより、光の乱反射が抑制されると共に平板部３１の透過率が上がるため、表示面２１ａに表示された画像の視認性を向上させることができる。
【００４６】
そして、該矩形状の平板部３１の、互いに対向する２辺から、係止爪部３２及び３３が平板部３１に略直交する１方向に延出するように設けられている。すなわち、カバー部材３０は、図５に示すように略コ字状の断面形状を有する。
【００４７】
一対の係止爪部３２及び３３の間隔は、該係止爪部３２及び３３が筐体部２２の係合凸部２３及び２４に係合した状態において筐体部２２を所定の力で弾性的に挟持するように設定されている。
【００４８】
また、係止爪部３２及び３３は、画像表示部２０の筐体部２２の側面２２ａ及び２２ｂに設けられた凹部２６及び２７内に嵌合可能な外形を有する。
【００４９】
カバー部材３０の画像表示部２０への固定は、図６に示すように、一方の係止爪部３２を筐体部２２の係合凸部２３に係合させた後に、他方の係止爪部３３を筐体部２２の係合凸部２４の方向（図６中、矢印Ｂ方向）へ押圧し、カバー部材３０の弾性変形を利用して係止爪部３３を係合凸部２４に係合させることで可能である。
【００５０】
このとき、カバー部材３０の一対の係止爪部３２及び３３が、筐体部２２を弾性的に挟持し、かつ係止爪部３２及び３３が、筐体部２２の側面２２ａ及び２２ｂに設けられた凹部２６及び２７内に嵌合するため、画像表示部２０とカバー部材３０とは遊びのない状態で位置決めされる。
【００５１】
したがって、図３に示すように、カバー部材３０は、画像表示部２０に固定された状態で画像表示部２０と共にカメラ本体２に対して相対的に移動する。
【００５２】
カバー部材３０を、画像表示部２０に固定された状態から取り外すには、カバー部材３０の係止爪部３３を、取り付け時とは反対の方向へ引っ張ればよい。
【００５３】
したがって、本実施形態のデジタルカメラ１においては、カバー部材３０は、工具を使用することなく瞬時に画像表示部２０に対して着脱可能であり、着脱は繰り返し行うことが可能である。
【００５４】
以上のように本実施形態によれば、繰り返し着脱可能なカバー部材３０によってカメラ本体２に対して移動可能に配設された画像表示部２０の表示面２１ａを、画像表示部２０の位置に関わらず、破損や汚れから保護することができる。
【００５５】
なお、上述した実施形態においては、カバー部材３０を画像表示部２０に対して固定した場合に、カバー部材３０と画像表示部２０とを合わせた厚さは、画像表示部２０のみの厚さに対してカバー部材３０の平板部３１の厚さだけ増してしまう。
【００５６】
そこで、図７及び図８に示すように、画像表示部２０の表示面２１ａが設けられた面に平板部３１の厚さと同等の深さの凹部２２ｄを設けて、該凹部２２ｄ内にカバー部材３０の平板部３１が収容されるよう構成してもよい。
【００５７】
このような構成によれば、画像表示部２０の厚さがカバー部材３０の着脱により変化しないため、画像表示部２０の表示面２１ａを前後どちらに向けた状態であっても、画像表示部２０をカメラ本体２の背面部の凹部２ａ内に収容することが可能となる。
【００５８】
また、凹部２２ｄと同様の形状の凹部を画像表示部２０の表示面２１ａが設けられた面とは反対側の裏面に形成し、かつ表示面２１ａ側と同様に該裏面上にカバー部材３０を係合可能とした構成としてもよい。このような構成によれば、カバー部材３０を表示面２１ａ上から取り外した際に、取り外したカバー部材３０を裏面上に固定しておくことで、カバー部材３０の紛失を防止し利便性を向上させることができる。
【００５９】
（第２の実施形態）  
以下、本発明の第２の実施形態について、図９及び図１０を参照して説明する。図９は第２の実施形態のカバー部材の斜視図である。図１０は、カバー部材を画像表示部に取り付けた状態における断面図である。
【００６０】
第２の実施形態は、上述した第１の実施形態に対してカバー部材の構成のみが異なる。よって、以下ではこの相違点のみを説明するものとし、また、第１の実施形態と同様の構成要素については同一の符号を付し、その説明を適宜に省略するものとする。
【００６１】
第２の実施形態では、図９に示すように、カバー部材３０の平板部３１の表示面２１ａと対向する表面上に、衝撃吸収部材３５が配設されている。衝撃吸収部材３５は、弾性又は粘弾性を有する部材からなり、例えばゴム、低反発樹脂又はウレタン発泡材等からなる。衝撃吸収部材３５には、例えば、ソルボセイン（登録商標）、アルファゲル（登録商標）等が適用され得る。
【００６２】
衝撃吸収部材３５は、カバー部材３０が画像表示部２０に固定された状態において、カバー部材３０の平板部３１と画像表示部２０との間に介装され、少なくとも表示面２１ａに重ならないように配設されている。本実施形態では、衝撃吸収部材３５は、表示面２１ａに重ならず、かつ表示面２１ａの周囲を囲む枠状に形成されている。
【００６３】
本実施形態によれば、カバー部材３０が画像表示部２０に固定された状態においてカバー部材３０に衝撃が加えられた場合に、カバー部材３０に加えられた衝撃は衝撃吸収部材３５により緩和されるため、カバー部材３０による画像表示部２０を保護する能力をより向上させることが可能である。
【００６４】
なお、衝撃吸収部材３５が透光性を有し表示面２１ａの視認性に悪影響を与えるものでなければ、衝撃吸収部材３５は、表示面２１ａ全体を均一に覆うように配設される形態であってもよい。この場合は、表示面２１ａに加えられる衝撃から、より効果的に表示面２１ａを保護することができる。
【００６５】
（第３の実施形態）  
以下、本発明の第３の実施形態について、図１１及び図１２を参照して説明する。図１１は第３の実施形態のカバー部材の斜視図である。図１２は、カバー部材を画像表示部に取り付けた状態における断面図である。
【００６６】
第３の実施形態は、上述した第１の実施形態に対してカバー部材の構成のみが異なる。よって、以下ではこの相違点のみを説明するものとし、また、第１の実施形態と同様の構成要素については同一の符号を付し、その説明を適宜に省略するものとする。
【００６７】
第３の実施形態では、図１１及び１２に示すように、カバー部材３０の平板部３１ａの少なくとも一方の主面が、凸レンズ状の光学面として構成されるように形成されている。なお、平板部３１ａは厚さを抑制するために凸レンズと光学的に等価なフレネルレンズにより構成されてもよい。
【００６８】
したがって、本実施形態では、カバー部材３０を画像表示部２０に固定した状態において、凸レンズ状の平板部３１ａは、表示面２１ａを保護すると共に、表示面２１ａを拡大する拡大鏡として働く。この場合、表示面２１ａと該表示面２１ａに対向する平板部３１ａの表面との距離を許容可能な範囲で大きくすることにより、より大きな拡大率を得ることが可能である。
【００６９】
本実施形態のこのような構成は、画像表示部２０に表示された画像の細部を確認する場合や、画像表示部２０を離れた位置から視認しなければならない場合に特に有効である。
【００７０】
また、図示しないが、カバー部材３０の平板部３１ａは、凹レンズ又は凹レンズに光学的に等価なフレネルレンズとして構成されてもよい。この場合、平板部３１ａは、表示面２１ａを保護すると共に、表示面２１ａを縮小する機能を有する。
【００７１】
本実施形態では、カバー部材３０は上述のように工具を使用することなく容易に着脱可能であることから、カバー部材を着脱又は交換することにより、操作者の好みや視力に応じて画像表示部２０における画像の表示形態を変更することができる。
【００７２】
上述した実施形態に基づいて、以下の構成を提案することができる。すなわち、本願発明は以下の構成で表現できる。  
（付記１）  
画像表示装置を有するカメラと該画像表示装置の表示画面を覆う保護カバーのシステムにおいて、  
上記表示画面を覆うための透明平板部と上記可動の画像表示装置に載置可能とするための係止部とを有する上記保護カバーと、  
上記画像表示装置の上記表示画面は上記カメラの背面と平行に、かつ、カメラ後方に表示を行う第１の位置と、上記表示画面を該位置以外の方向に設定される第２の位置とに設定可能であって、該第１の位置、該第２の位置のどちらにあっても上記カバーの上記係止部と係合状態が維持されているように上記係止部と係合する被係止部が上記画像表示装置に設けられた上記カメラと、  
を具備することを特徴とした画像表示装置を有するカメラと該画像表示装置の表示画面を覆う保護カバーのシステム。
【００７３】
（付記２）  
上記保護カバーと上記表示画面との間に衝撃吸収材料からなる衝撃吸収材部材が備えられたことを特徴とした上記付記１記載の画像表示装置を有するカメラと該画像表示装置の表示画面を覆う保護カバーのシステム。
【００７４】
（付記３）  
上記保護カバーは凸状の光学面を有することを特徴とした上記付記１記載の画像表示装置を有するカメラと該画像表示装置の表示画面を覆う保護カバーのシステム。
【００７５】
（付記４）  
画面表示装置の表示画面を覆う保護カバーにおいて、  
上記保護カバーは上記表示画面を覆う透明平板部と、上記画面表示装置に係合するための係止部と、上記透明平板部に衝撃吸収素材からなる衝撃吸収部材が取り付けられていることを特徴とした画面表示装置の表示画面を覆う保護カバー。
【００７６】
（付記５）  
上記衝撃吸収部材は上記表示画面部分を囲むように形成された枠状のシート部材からなることを特徴とした上記付記４記載の画面表示装置の表示画面を覆う保護カバー。
【００７７】
なお、本発明は、上述した実施形態に限られるものではなく、特許請求の範囲及び明細書全体から読み取れる発明の要旨或いは思想に反しない範囲で適宜変更可能であり、そのような変更を伴う表示装置用カバー及び撮像装置もまた本発明の技術的範囲に含まれるものである。
【００７８】
例えば、上述した実施形態では、可動式の表示装置である画像表示部２０は、カメラ本体２に対して２軸のヒンジ機構部２５によって支持されているが、本発明の撮像装置はこの形態に限られるものではない。例えば表示装置は、カメラ本体に対して１つの軸周りにのみ回動する構成であってもよいし、カメラ本体に対してスライド移動する構成であってもよい。また、表示装置は、撮像レンズと共に把持部に対して回動する構成であってもよい。
【００７９】
また、本発明に係る撮像装置は、上述の実施形態で説明したデジタルカメラの形態に限らず、録音機器、携帯電話、ＰＤＡ、ゲーム機、デジタルビデオカメラ、デジタルメディアプレーヤー、テレビ、ＧＰＳ、時計等の電子機器に配設された撮像装置であってもよいことは言うまでもない。
【図面の簡単な説明】
【００８０】
【図１】デジタルカメラの主要な構成を断面により示す図である。
【図２】デジタルカメラの背面を示す背面図である。
【図３】デジタルカメラのカメラ本体を背面上方から見た斜視図である。
【図４】画像表示部とカバー部材の構成を説明する斜視図である。
【図５】画像表示部にカバー部材を固定した状態における断面図である。
【図６】カバー部材を画像表示部に固定する方法を説明する図である。
【図７】第１の実施形態の変形例を示す図である。
【図８】第１の実施形態の変形例を示す図である。
【図９】第２の実施形態のカバー部材の斜視図である。
【図１０】第２の実施形態のカバー部材を画像表示部に固定した状態における断面図である。
【図１１】第３の実施形態のカバー部材の斜視図である。
【図１２】第３の実施形態のカバー部材を画像表示部に固定した状態における断面図である。
【符号の説明】
【００８１】
１  デジタルカメラ、  ２  カメラ本体、  ２０  画像表示部、  ２１  液晶表示装置、  ２１ａ  表示面、  ２２  筐体部、  ２３  係合凸部、  ２４  係合凸部、  ２５  ヒンジ機構部、  ２５ａ  可動片、  ３０  カバー部材、  ３１  平板部、  ３２  係止爪部、  ３３  係止爪部
【図１】
2009212700.tif 000003
【図２】
2009212700.tif 000004
【図３】
2009212700.tif 000005
【図４】
2009212700.tif 000006
【図５】
2009212700.tif 000007
【図６】
2009212700.tif 000008
【図７】
2009212700.tif 000009
【図８】
2009212700.tif 000010
【図９】
2009212700.tif 000011
【図１０】
2009212700.tif 000012
【図１１】
2009212700.tif 000013
【図１２】
2009212700.tif 000014